(57)【要約】【課題】好適にユーザーが購入物の管理を実施できる技術を提供する。【解決手段】サーバーから家計簿情報とこの家計簿情報内の品目の賞味期限情報を受信する受信手段と、前記賞味期限情報を表示する表示手段と、を備えた電子機器。また、外部から購入品情報を受信する受信手段と、前記購入品情報から賞味期限情報を更新する更新手段と、前記賞味期限情報を電子機器に送信する送信手段と、を備えたサーバー。また、サーバーから家計簿情報とこの家計簿情報内の品目の賞味期限情報を受信する受信手段と、前記賞味期限情報を表示する表示手段とを備えた電子機器と、外部から購入品情報を受信する受信手段と、前記購入品情報から賞味期限情報を更新する更新手段と、前記賞味期限情報を前記電子機器に送信する送信手段とを備えたサーバーと、を含む購入物管理システム。【選択図】  図１
2014139760.tif 000002
【特許請求の範囲】
【請求項１】
サーバーから家計簿情報とこの家計簿情報内の品目の賞味期限情報を受信する受信手段と、
前記賞味期限情報を表示する表示手段と、
を備えた電子機器。
【請求項２】
更に、前記賞味期限情報を修正する修正手段と、
この修正された賞味期限情報をサーバーへ送信する送信手段と、
を備えた請求項１に記載の電子機器。
【請求項３】
外部から購入品情報を受信する受信手段と、
前記購入品情報から賞味期限情報を更新する更新手段と、
前記賞味期限情報を電子機器に送信する送信手段と、
を備えたサーバー。
【請求項４】
更に、外部から修正された賞味期限情報を受信する賞味期限情報受信手段を備え、
前記更新手段はこの賞味期限情報に基づき以前の賞味期限情報を更新する請求項３に記載のサーバー。
【請求項５】
前記送信手段は賞味期限が来た前記賞味期限情報を電子機器に送信する請求項３に記載のサーバー。
【請求項６】
サーバーから家計簿情報とこの家計簿情報内の品目の賞味期限情報を受信する受信手段と、前記賞味期限情報を表示する表示手段とを備えた電子機器と、
外部から購入品情報を受信する受信手段と、前記購入品情報から賞味期限情報を更新する更新手段と、前記賞味期限情報を前記電子機器に送信する送信手段とを備えたサーバーと、
を含む購入物管理システム。
【発明の詳細な説明】
【技術分野】
【０００１】
本発明の実施形態は、電子機器、サーバー、購入物管理システムに関する。
【背景技術】
【０００２】
機器等を用いた家計簿管理が工夫されている。また賞味期限情報の管理も工夫されている。
しかしながら家計簿、賞味期限夫々では管理されているものの、統合した管理システムはない。ユーザーの家計簿管理の手間を省きかつ購入品の賞味期限を切らす無駄を省くことができる技術が求められている。
【先行技術文献】
【特許文献】
【０００３】
【特許文献１】特開２００４−３４８４４５号公報
【発明の概要】
【発明が解決しようとする課題】
【０００４】
本発明の実施の形態は、好適にユーザーが購入物の管理を実施できる技術を提供することを目的とする。
【課題を解決するための手段】
【０００５】
上記課題を解決するために、実施形態によれば電子機器は、サーバーから家計簿情報とこの家計簿情報内の品目の賞味期限情報を受信する受信手段と、前記賞味期限情報を表示する表示手段と、を備える。
【図面の簡単な説明】
【０００６】
【図１】この発明の一実施形態を示すシステム構成図。
【図２】同実施形態の利用クレジット情報および購入品情報の送信フロー図（店舗レジ）。
【図３】同実施形態の効家計簿情報および賞味期限情報更新処理フロー図（クラウドサーバー）。
【図４】同実施形態の登録ユーザー情報例を示す図。
【図５】同実施形態に用いられる賞味期限情報表示例を示す図。
【図６】実施形態の電子機器のシステム構成を示すブロック図。
【図７】実施形態に係わる情報処理装置（サーバー）のシステム構成を示す図。
【図８】一実施形態を示す機能ブロック構成図。
【図９】CSP が HTTP 要求を処理するときの、イベントのフローを示すシーケンス図。
【図１０】他の実施形態の変形システム構成図。
【図１１】実施形態に用いられる変形動作フロー図（購入レシート画像を用いた）。
【発明を実施するための形態】
【０００７】
以下、実施形態を説明する。
（第１の実施形態）
第１の実施形態を図１乃至図９を参照して説明する。先に図６は、電子機器であるタブレットコンピュータ１００のハードウェアシステム構成を示す図である。
【０００８】
タブレットコンピュータ１００は、図６に示されるように、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８等を備える。
【０００９】
ＣＰＵ１０１は、タブレットコンピュータ１００内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、デジタルノートブックアプリケーションプログラム２０２が含まれている。このデジタルノートブックアプリケーションプログラム２０２は、上述の手書き文書を作成および表示する機能、手書き文書を編集する機能、および文字・図表認識機能等を有している。
【００１０】
アプリケーションプログラムには、ブラウザとして機能するものも含まれている。
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００１１】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００１２】
グラフィクスコントローラ１０４は、本タブレットコンピュータ１００のディスプレイモニタとして使用されるＬＣＤ１１７Ａを制御する表示コントローラである。このグラフィクスコントローラ１０４によって生成される表示信号はＬＣＤ１１７Ａに送られる。ＬＣＤ１１７Ａは、表示信号に基づいて画面イメージを表示する。このＬＣＤ１１７Ａ上にはタッチパネル１１７Ｂおよびデジタイザ１１７Ｃが配置されている。タッチパネル１１７Ｂは、ＬＣＤ１１７Ａの画面上で入力を行うための静電容量式のポインティングデバイスである。指が接触される画面上の接触位置および接触位置の動き等はタッチパネル１１７Ｂによって検出される。デジタイザ１１７ＣはＬＣＤ１１７Ａの画面上で入力を行うための電磁誘導式のポインティングデバイスである。図示せぬペン１１９が接触される画面上のペン１１９の位置（座標）およびペン１１９の位置の動き等はデジタイザ１１７Ｃによって検出される。デジタイザ１１７Ｃは、画面上のペン１１９の位置を示す座標を出力する。
【００１３】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザーによるパワーボタンの操作に応じて本タブレットコンピュータ１００を電源オンまたは電源オフする機能を有している。
【００１４】
ところで一方図７は、後述のクラウドサーバー１０のネットワークを中継する（情報）サーバー７０のハードウェアなどのシステム構成の一例を示すものである。
図７に示すように、このサーバー７０は、ＣＰＵ７１、ノースブリッジ７２、主メモリ７３、サウスブリッジ７４、ＢＩＯＳ−ＲＯＭ７５、磁気ディスク駆動装置（ＨＤＤ）７６、光磁気ディスク駆動装置（ＯＤＤ）７７、エンベデッドコントローラ／キーボードコントローラＩＣ（ＥＣ／ＫＢＣ）７８、ネットワークコントローラ７９等を備えている。
【００１５】
ＣＰＵ７１は、本サーバー７０の動作を制御するメインプロセッサである。このＣＰＵ７１は、ＨＤＤ７６から主メモリ７３にロードされる、オペレーティングシステム、各種アプリケーションプログラムおよびユーティリティプログラムを実行する。
【００１６】
ノースブリッジ７２は、ＣＰＵ７１のローカルバスとサウスブリッジ７４との間を接続するブリッジデバイスである。また、ノースブリッジ７２には、ＣＲＴディスプレイ２を制御する表示コントローラおよび主メモリ７３を制御するメモリコントローラも内蔵されている。
【００１７】
サウスブリッジ７４は、例えばＰＣＩ（peripheral component interconnect）バスやＬＰＣ（low pin count）バスに接続された各種Ｉ／Ｏデバイスを制御するためのＩ／Ｏコントローラとして機能する。また、このサウスブリッジ７４には、ＨＤＤ７６およびＯＤＤ７７を制御するＩＤＥ（Integrated Drive Electronics）も内蔵されている。ＢＩＯＳ−ＲＯＭ７５も、このサウスブリッジ７４によってアクセスが制御される。ＢＩＯＳ−ＲＯＭ７５は、システムＢＩＯＳを電気的に書き換え可能に格納するフラッシュＲＯＭである。
【００１８】
ＥＣ／ＫＢＣ７８は、電源管理のためのエンベデッドコントローラと、キーボード（ＫＢ）８３およびマウス８４などを制御するキーボードコントローラとが集積された１チップマイクロコンピュータである。ネットワークコントローラ７９は、ＬＡＮを介した他のコンピュータとのデータ通信を制御する。
【００１９】
さて以上のようなハードウェア構成例を基にして、図８のようなシステムを組むことができる。即ち図８は、一実施形態を示す機能ブロック構成図である。前提として表示装置であるタブレットコンピュータ１００は、サーバー７０とのネットワーク接続可能な、Browser搭載の電子機器である。
【００２０】
即ちタブレットコンピュータ１００は、ネットワークを介してサーバー７０と接続されている。またこのサーバー７０は、ネットワークを介して流通大手業者によるサーバー５、また代表として２つのCSP(Cache’ Server Pages、後述)サーバー６と７に接続されている。また、サーバー７０は、後述する組み合わせのDB（データベース）１Dを接続し、流通大手業者によるサーバー５、CSPサーバー６と７は夫々の賞味期限情報を含むDBであるDB５D,6D,7Dを接続している。なおA乃至Dの構成要素については後述する。サーバー７０は、言わばクラウドサーバー１０の入り口の機構を成している。
【００２１】
ここで図８の構成で用いているCSPについて構成・動作を補足する。
CSP は、受信した HTTP (Hypertext Transport Protocol) 要求に応答して、動的なコンテンツを提供する。以下では、CSP で HTTP がどのように処理されるかという点について基本的な内容を説明する。
【００２２】
HTTP は、クライアントがサーバーへ要求を送る単純なプロトコルである。HTTP はステートレス方式のプロトコルで、クライアントとサーバー間は、要求のやりとりに必要な間のみ接続される。すべての HTTP 要求には、要求のタイプ (GET や POST など)、URL、およびバージョン・ナンバーを指定する 要求ヘッダ が含まれている。また、付加情報が含まれることもある。CSP はどの HTTP 要求を処理すべきかを自動的に決定し、それを Cache’ サーバー内の適切なクラスへ配信し、要求の情報を使用しやすいオブジェクトにまとめる (%CSP.Request オブジェクトなど)。
【００２３】
図８に関するCSP 実行時環境として、以下のCSP と HTTP 要求のアーキテクチャが表わされる。
A.HTTP クライアント (Web ブラウザなど)
B.HTTP サーバー (Apache ((R)、以下省略)
や IIS ((R)、以下省略) などの Web サーバー)
C.CSP ゲートウェイ (Web サーバーへの Cache’ アド・オン)
D.Cache’ サーバー (要求された CSP アプリケーションを CSP サーバーで実行する場所となるサーバー)
このうちCSP ゲートウェイは、Webサーバーと同一ハードウェア内に置くものとされている。
次に図９は、CSP が HTTP 要求を処理するときの、イベントの以下のようなフローを表している。
１．ブラウザ (または同様の Web クライアント) が、HTTP要求を生成する。
２．Web サーバーは、これが CSP 要求であると判断し、その要求を Web サーバーにインストールされている CSP ゲートウェイに送信する。2a としてWebサーバーは、アプリケーション構成によっては、静的コンテンツを処理する場合がある。
【００２４】
３．CSP ゲートウェイは、その要求を再度まとめて、適切な Cache’ サーバーに送信する。
４．Cache’ サーバーは、メッセージをデコードし、要求が静的ページに対してであるか、それとも CSP クラスに対してであるかを判断する。
.html や .jpg などの静的ファイルに対する要求であれば、Cache’ サーバーはローカル・ファイル・システムでそのファイルを見つけ、4a としてそのコンテンツをクライアントに返信する。
【００２５】
クラスに対する要求であれば、アプリケーションを構成するイベント処理クラスのうち、どのクラスでイベントを処理するかを決定し、そのクラスの Page メソッドを呼び出す。
【００２６】
５．Page メソッドの出力または静的ページが、HTTP 応答として CSP ゲートウェイに返送される。
６．CSP ゲートウェイは HTTP の応答を Web サーバーに渡す (具体的には、応答は CSP ゲートウェイを経由して、Web サーバーへ返送される)。
【００２７】
７．Web サーバーは Web ブラウザに応答を返し、Web ブラウザがその応答を処理する。HTML の場合はその内容が表示される。
さて本実施形態のシステム構成を図１に示す。このシステムはクラウドサーバー１０内に、管理サービスブロックとして家計簿情報１１と賞味期限情報１２を、また処理ブロックとして家計簿処理１８と賞味期限処理１９を含んでいる。またクラウドサーバー１０は、商品DB１７を従え店舗レジ１４や携帯機器／ＰＣ２０とネットワーク越しに交信するよう構成されている。
【００２８】
この管理サービスブロックや商品DB１７はＨＤＤ７６に在ってよい。また処理ブロックはＣＰＵ１０１によって実行されるアプリケーションプログラムの一部である。携帯機器／ＰＣ２０の例としてタブレットコンピュータ１００を用いる。
【００２９】
クラウドサーバー１０は、家計簿情報１１および賞味期限情報１２を管理するサービスを有する。ユーザーは、このサービスを受けるために、ユーザー登録を行う。登録する情報は、アカウント情報（ユーザー名とログインパスワード、メールアドレス）および、使用するクレジットカード情報である。
【００３０】
このシステムの動作としてはまずユーザーは、クラウドサーバー１０にある家計簿情報１１と賞味期限情報１２の管理サービスを受けられるようにユーザー登録１３を行う。携帯機器／ＰＣ２０などを用いたユーザー登録１３で登録する情報は、アカウント情報（ユーザー名とログインパスワード、メールアドレス）および使用するクレジットカード情報（クレジット番号、パスワード）である。なお、メールアドレスと利用するクレジットカード情報は複数登録可能である。
【００３１】
ユーザーがクレジットカードで買い物する場合、店舗レジ１４は、クラウドサーバー１０にアクセスし、ユーザー登録情報１３と利用したクレジットカード情報１５を元に認証を行い、ユーザー登録されている場合は、ユーザー登録済みと判定してクレジットカード情報１５と購入品情報１６をクラウドサーバー１０に送信する。
【００３２】
クラウドサーバー１０はクレジットカード情報１５より登録されたユーザー情報１３からユーザー識別を行い、購入品情報１６を元に、家計簿処理１８により該当ユーザーの家計簿情報１１を更新する。また、購入品情報１６と商品DB１７とを照合して購入品の賞味期限を取得し、賞味期限処理１９により、該当ユーザーの賞味期限情報１２を更新する。
【００３３】
ユーザーは、携帯機器／ＰＣ２０からアカウント情報を用いクラウドサーバー１０にアクセスし、家計簿／賞味期限情報の確認および修正２１をすることが出来る。
賞味期限が近づいた食材および期限が切れた食材が発生した場合は、クラウドサーバー１０より登録したメールアドレスの携帯機器／ＰＣ２０に賞味期限切れ案内メール２２が自動送信される。
【００３４】
ユーザーは携帯機器やＰＣでアカウント情報を用いてクラウドサーバー１０にアクセスし、購入品の賞味期限情報を確認することが出来る。また食材を消費した場合、賞味期限情報より該当の食材を削除し、賞味期限情報を修正することが出来る。
【００３５】
図２に店舗レジの動作フローを示す。
ユーザーがクレジットカードで支払う場合、店舗レジ１４はクラウドサーバー１０にアクセスする（ステップＳ２０）。クラウドサーバー１０に登録されているユーザー情報（クレジットカード情報）にユーザーが利用したクレジットカード情報がある場合は、、店舗レジ１４はユーザー登録済みと判定して（ステップＳ２１−ＹＥＳ）クレジットカード情報と購入品情報をクラウドサーバー１０に送信し（ステップＳ２２）処理を終了する。またステップＳ２１でＮＯと判定した場合はそのまま処理を終了する。
【００３６】
次に、クラウドサーバー１０側の家計簿情報１１および賞味期限情報１２の更新フローを図３に示す。
店舗レジ１４より利用クレジットカード情報１５と購入品情報１６を受信した場合（ステップＳ３０−ＹＥＳ）、登録されているユーザー情報から利用クレジットカード情報を検索して一致した場合（ステップＳ３１−ＹＥＳ）、該当ユーザーの家計簿情報１１を更新する（ステップＳ３２）。購入品情報１６と商品DB１７を照合して賞味期限を取得し（ステップＳ３３）、該当ユーザーの賞味期限情報１２を更新し（ステップＳ３４）処理を終了する。またステップＳ３０またはステップＳ３１でＮＯと判定した場合はそのまま処理を終了する。
【００３７】
クラウドサーバー１０に登録するユーザー情報の例を図４に示す。このＨＤＤ７６への登録情報は以下である。
ユーザー名とパスワード：  クラウドサーバー１０にアクセスするためのユーザー名とパスワードである。
登録メールアドレス：  賞味期限案内情報送信先のメールアドレスであり、複数登録可能である。
利用クレジットカード情報：  買い物で使用するクレジットカード情報であり、複数登録可能である。
次に、組み合わせのDB１Dに有る（この組み合わせのDB１DもＨＤＤ７６に在ってもよい）賞味期限情報１２の表示例を図５に示す。賞味期限情報１２は、各品目に対して賞味期限が表示される。一品目について代表して説明する。
【００３８】
品番号は頭４桁が西暦の年度である。次の桁でＡは上期（Ｂならば下期）を表している。末尾の２桁の数値は入荷ロット番号である。入荷ロット番号「３３」の品目の品番号と残りのフィールド（品目、品名、賞味期限）の内容との対応は例えば次のようにしてとられている。
【００３９】
発注から納品の間に供給元の製造・仕入れのロット番号が「野菜」「キャベツ」「2012/09/21」に対して流通大手などでは通常ルーチンとしてユニークにふられることが多いので、納品後には供給元の製造・仕入れのロット番号を媒介にして入荷ロット番号と対応づけることができる。しかしながら賞味期限の情報が得られていない場合には、品目、品名などの情報からCSPなどを用いて動的に対応する賞味期限の情報を取ってくることになる。
【００４０】
（第２の実施形態）
第２の実施形態を図５乃至図１１を参照して説明する。第１の実施形態と共通する部分は説明を省略する。
即ち実施形態の変形例を図１０に示す。図１との相違として、処理ブロックはレシート画像解析処理６３を含んでいる。また携帯機器／ＰＣ６０は、携帯機器／ＰＣ２０では必須ではなかったカメラユニット（図示せず）を装備している。
【００４１】
システムコントローラ１０２は、カメラユニットと通信する機能も有している。カメラユニットにより撮像された画像の画像データは、このシステムコントローラ１０２によって取り込まれ、主メモリ１０３に転送される。主メモリ１０３上には、（古い画像データを新しい画像データに置き換えていきながら）所定量の画像データが蓄積される。
【００４２】
ユーザーはクレジットカードで購入しない場合、携帯機器／ＰＣ６０でレシート画像を撮影し、アカウント情報を用いてクラウドサーバー１０にアクセスし、レシート画像をクラウドサーバー１０に送信する（６１）。
【００４３】
クラウドサーバー１０は、送信されたレシート画像よりレシート画像解析処理６３を行い、購入品情報を抽出する。その後、抽出した購入品情報を元に家計簿処理１８でユーザーの家計簿情報１１を更新する。また、抽出した購入品情報と商品DB１７を照合させ購入品の賞味期限を取得し、賞味期限処理１９により、ユーザーの賞味期限情報１２を更新する。
【００４４】
ユーザーは、携帯機器／ＰＣ６０からアカウント情報を用いてクラウドサーバー１０にアクセスし、家計簿／賞味期限情報を確認および修正（２１）することができる。
【００４５】
賞味期限が近づいた食材および期限が切れた食材が発生した場合は、クラウドサーバー１０より登録したメールアドレスの携帯機器／ＰＣ６０に賞味期限切れ案内メールが自動送信される（２２）。
【００４６】
次にレシート画像解析処理を行う変形例の動作フローを図１１に示す。
ユーザーは携帯機器／ＰＣ６０からアカウント情報を用いてクラウドサーバー１０にアクセスする（ステップＳ７０）。
購入レシートを携帯機器／ＰＣ６０で撮影し、得られたレシート画像を携帯機器／ＰＣ６０はクラウドサーバー１０に送信する（ステップＳ７１）。クラウドサーバー１０は、送信されたレシート画像の解析を行い、購入品情報を抽出する（ステップＳ７２）。またクラウドサーバー１０は、購入品情報を家計簿情報１１に反映させ更新する（ステップＳ７３）。またクラウドサーバー１０は、購入品情報と商品DB１７を照合して購入品の賞味期限を取得する（ステップＳ７４）。またクラウドサーバー１０は、購入品情報と取得した賞味期限を賞味期限情報１２に反映させ更新する（ステップＳ７５）。
【００４７】
購入レシートには賞味期限の情報が示されていない場合が多いので、品目、品名などの情報からCSPなどを用いて動的に対応する賞味期限の情報を取ってくることになる。
【００４８】
この際どのスーパーのどの店でいつ買ったなどの付随情報から、品名や品番、賞味期限を推定することもある。品名などの候補が複数あるときは図５のリストでそのフィールドを強調表示してもよい。ユーザーが品名欄をポイントすると商品名や供給元がドロップダウンリストで現れ、商品パッケージを参照するなどしてこのリストの中から商品を選択できるようにしてもよい。
【００４９】
上記複数の候補を得るためには更に複数のサーバーなどへのアクセスが必要となる場合が多い。例えばＤＢ６Ｄは機能を仮想化しているものであり、上記店への供給元夫々の情報をフェッチしてくる動作が可能な構成である。
【００５０】
なお賞味期限についても対話的に数値を修正（変更）できるようにしてもよい。ユーザーの選好により品目によっては賞味期限を例えば２，３日前後に設定する。更にオリジナルな賞味期限やそれをどのように変更したか備忘のため表示できるようにしてもよい。また賞味期限より消費期限を主体に表示する設定ができるようにしてもよい。
【００５１】
従来多くの人が家計簿を手動で入力し管理していたが、本システムにより自動的にクラウドサーバーが管理することにより、ユーザーの家計簿入力および管理の手間を省くことが出来る。
【００５２】
また、賞味期限を忘れてしまい賞味期限を切らすこともあったが、本システムにより、購入品の賞味期限情報が容易に確認でき、かつ賞味期限が迫った場合にメールで案内するため、購入品を無駄にしなくて済む。
【００５３】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５４】
１００…タブレットコンピュータ、１１７…タッチスクリーンディスプレイ、１１７Ａ…ＬＣＤ、１１７Ｂ…タッチパネル、１１７Ｃ…デジタイザ、１１９…ペン、１０１…ＣＰＵ、１０３…主メモリ、１０４…グラフィクスコントローラ、１０６…不揮発性メモリ、２０１…オペレーティングシステム、２０２…デジタルノートブックアプリケーションプログラム。
【図１】
2014139760.tif 000003
【図２】
2014139760.tif 000004
【図３】
2014139760.tif 000005
【図４】
2014139760.tif 000006
【図５】
2014139760.tif 000007
【図６】
2014139760.tif 000008
【図７】
2014139760.tif 000009
【図８】
2014139760.tif 000010
【図９】
2014139760.tif 000011
【図１０】
2014139760.tif 000012
【図１１】
2014139760.tif 000013